(57)【要約】      （修正有）【課題】金属製額縁を取り扱う際における手指の負傷や衣類の損傷を防ぐコーナーガードを提供する。【解決手段】可撓性材料をもって製作する。直角な軸断面形状のガード本体２に、その長さ方向の一方側に金属製額縁１００の両縁材１０１、１０１の前面側の突条１０１ａ、１０１ａに係止する前面側係止部３を直角に張り出すように形成する。他方側に金属製額縁１００の両縁材１０１、１０１の後面側の突条１０１ｂ、１０１ｂに係止する後面側係止部４を直角に張り出すように形成する。更に該後面側係止部４の金属製額縁１００の両縁材１０１、１０１の後面側の突条１０１ｂとの接触部分に、該突条１０１ｂの摺接傾斜面４ａを形成する。【選択図】図１３
0003173205.tif 000002
【実用新案登録請求の範囲】
【請求項１】
両端部を４５度の角度に切断し且つ外側壁の前面側と後面側に夫々突条を連成してなる縁材の４本を、それらの切断面を突き合わせて矩形に形成してなる金属製額縁の各コーナーに被着する金属製額縁用コーナーガードであって、可撓性材料からなり、直角な軸断面形状のガード本体に、その長さ方向の一方側に前記金属製額縁の両縁材の前面側の突条に係止する前面側係止部を直角に張り出すように形成すると共に、他方側に前記金属製額縁の両縁材の後面側の突条に係止する後面側係止部を直角に張り出すように形成し、更に該後面側係止部の前記金属製額縁の両縁材の後面側の突条との接触部分に、該突条の摺接傾斜面を形成してなる金属製額縁用コーナーガード。
【考案の詳細な説明】
【技術分野】
【０００１】
本考案は金属製額縁用コーナーガードに関するものである。
【背景技術】
【０００２】
金属製額縁は、一般的に４本の縁材を矩形に組み立てて形成されており、これら４本の縁材は夫々の両端部を４５度の角度に切断し、端面同士を突き合わせた状態においてＬ字形の継手板と固定ネジをもって連結するものである。
【０００３】
図１４及び図１５には従来の金属製額縁を示しており、１００は金属製額縁、１０１、１０１は該金属製額縁１００を構成する縁材であり、４本で構成される。また、該縁材１０１、１０１は、いずれもその外側壁１０１Ａの前面側と後面側に夫々突条１０１ａ、１０１ｂが連成されている。１０２、１０２は隣り合う縁材１０１、１０１同士を連結するＬ字形の継手板であり、１０３、１０３は固定ネジである。１０４は前記縁材１０１、１０１を矩形に組み立てて額縁とした状態において後面側から嵌め入れる透明板、１０５は該透明板１０４の後面側に当てがう台板である。１０６、１０６は台板押さえ片である。
【０００４】
斯かる金属製額縁１００は、上記の如く縁材１０１、１０１の夫々の両端部１０１′、１０１′が４５度の角度に切断されるが、製作時に切断角度にバラツキが出て正確に４５度にならない場合がある。そして、この場合には隣り合う縁材１０１、１０１同士の端面を突き合わせたとき、切断面全体が完全に一致せず、両者の間に隙間ができたり、或いは一方側の縁材１０１がずれてその外縁が外方にわずかに飛び出すことも起こる。尚、いずれにしても切断した端縁部分はきわめて鋭利である。また、切断した際には最後に切断面のバリを除去するが、このバリが全て除去されずにわずかに残る場合がある。
【０００５】
上記の如き状態はきわめて危険であり、額縁の取り扱い中に手指を負傷したり、衣類を損傷したりすることがある。
【考案の概要】
【考案が解決しようとする課題】
【０００６】
本考案は上記の点に鑑みなされたものであって、金属製額縁における各コーナーに被着し、縁材同士の切断面の突き合わせ部分の外側を覆い包むことにより上記の問題を解消することができるようになした金属製額縁用コーナーガードを提供しようとするものである。
【課題を解決するための手段】
【０００７】
而して、本考案の要旨とするところは、両端部を４５度の角度に切断し且つ外側壁の前面側と後面側に夫々突条を連成してなる縁材の４本を、それらの切断面を突き合わせて矩形に形成してなる金属製額縁の各コーナーに被着する金属製額縁用コーナーガードであって、可撓性材料からなり、直角な軸断面形状のガード本体に、その長さ方向の一方側に前記金属製額縁の両縁材の前面側の突条に係止する前面側係止部を直角に張り出すように形成すると共に、他方側に前記金属製額縁の両縁材の後面側の突条に係止する後面側係止部を直角に張り出すように形成し、更に該後面側係止部の前記金属製額縁の両縁材の後面側の突条との接触部分に、該突条の摺接傾斜面を形成してなる金属製額縁用コーナーガードにある。
【考案の効果】
【０００８】
本考案は上記の如き構成であり、金属製額縁における各コーナーに被着し、縁材同士の切断面の突き合わせ部分の外側を覆い包むものである。これにより縁材同士の間に隙間ができたり、どちらかの一方がずれてその外縁が外方に飛び出したりすることがあったとしても、また切断時における切断部分のバリの除去が不完全であったとしても、額縁の取り扱い中における手指の負傷や衣類の損傷を未然に防止することができるものである。また、金属製額縁の各コーナーへの被着もワンタッチで簡単、迅速に行うことができるものである。
【図面の簡単な説明】
【０００９】
【図１】本考案の実施形態に係る金属製額縁用コーナーガードの斜視図である。
【図２】同正面図である。
【図３】図２中Ａ−Ａ線断面図である。
【図４】図２中Ｂ−Ｂ線断面図である。
【図５】同平面図である。
【図６】同底面図である。
【図７】本考案を使用した金属製額縁の前面側から看た斜視図である。
【図８】同後面側から看た斜視図である。
【図９】同前面側から看た部分拡大図である。
【図１０】同後面側から看た部分拡大図である。
【図１１】本考案の使用説明図であり、前面側係止部を両縁材の前面側の突条に係止した状態を示すものである。
【図１２】本考案の使用説明図であり、後面側係止部を両縁材の後面側の突条に係止する状態を示すものである。
【図１３】本考案の使用説明図であり、後面側係止部を両縁材の後面側の突条に係止し、被着を完了した状態を示すものである。
【図１４】金属製額縁におけるコーナー部分の前面側から看た拡大図である。
【図１５】同拡大断面図である。
【考案を実施するための形態】
【００１０】
以下、本考案を実施するための形態について、図面を参照して説明する。
【００１１】
本考案を用いる金属製額縁は前記図１４及び図１５に示したものと同様のものであり、したがって本考案の使用状態を示す図７及び図８における金属製額縁には同様の符号を付している。
【００１２】
即ち、該金属製額縁１００は、両端部を４５度の角度に切断し且つ外側壁１０１Ａの前面側と後面側に夫々突条１０１ａ、１０１ｂを連成してなる縁材１０１、１０１の４本を、それらの切断面を突き合わせて矩形に形成してなるものである。
【００１３】
そして、斯かる金属製額縁１００の各コーナーに被着する本考案に係るコーナーガード１は、可撓性材料からなり、直角な軸断面形状のガード本体２に、その長さ方向の一方側に前記金属製額縁１００の両縁材１０１、１０１の前面側の突条１０１ａ、１０１ａに係止する前面側係止部３を直角に張り出すように形成すると共に、他方側に前記金属製額縁１００の両縁材１０１、１０１の後面側の突条１０１ｂ、１０１ｂに係止する後面側係止部４を直角に張り出すように形成し、更に該後面側係止部４の前記金属製額縁１００の両縁材１０１、１０１の後面側の突条１０１ｂ、１０１ｂとの接触部分に、該突条１０１ｂ、１０１ｂの摺接傾斜面４ａを形成してなるものである。
【００１４】
次に、本考案の使用方法について説明する。
先ず、図１１に示す如く、前面側係止部３を金属製額縁１００における両縁材１０１、１０１の前面側の突条１０１ａ、１０１ａに係止し、次に、図１２に示す如く、後面側係止部４を両縁材１０１、１０１の後面側の突条１０１ｂ、１０１ｂに向けて押し付けるものである。そして、このときには後面側係止部４の突条１０１ｂ、１０１ｂの摺接傾斜面４ａを突条１０１ｂ、１０１ｂが徐々に乗り上がって摺接し、後面側係止部４のガード本体２との連接部分４′は押されて外側（前面側係止部３と離れる方向）に拡げられる。そして、突条１０１ｂ、１０１ｂが突条１０１ｂ、１０１ｂの摺接傾斜面４ａを乗り越えると、図１３に示す如く後面側係止部４のガード本体２との連接部材４′はその弾性によって元の状態に戻り、後面側係止部４が突条１０１ｂ、１０１ｂに係止するものである。これによってコーナーガード１は金属製額縁１００の各コーナーに被着されるものである。
【００１５】
そして、本考案に係るコーナーガード１をこのようにして金属製額縁１００における各コーナーに被着し、縁材１０１、１０１同士の切断面の突き合わせ部分の外側を覆い包むと、縁材１０１、１０１同士の間に隙間ができたり、どちらかの一方がずれてその外縁が外方に飛び出したりすることがあったとしても、また切断部分のバリの除去が不完全であったとしても、額縁の取り扱い中における手指の負傷や衣類の損傷を未然に防止することができるものである。また、金属製額縁の各コーナーへの被着もワンタッチで簡単、迅速に行うことができるものである。
【符号の説明】
【００１６】
１  コーナーガード
２  ガード本体
３  前面側係止部
４  後面側係止部
４ａ  突条の摺接傾斜面
【図１】
0003173205.tif 000003
【図２】
0003173205.tif 000004
【図３】
0003173205.tif 000005
【図４】
0003173205.tif 000006
【図５】
0003173205.tif 000007
【図６】
0003173205.tif 000008
【図７】
0003173205.tif 000009
【図８】
0003173205.tif 000010
【図９】
0003173205.tif 000011
【図１０】
0003173205.tif 000012
【図１１】
0003173205.tif 000013
【図１２】
0003173205.tif 000014
【図１３】
0003173205.tif 000015
【図１４】
0003173205.tif 000016
【図１５】
0003173205.tif 000017